(57)【要約】【課題】把持対象物が係合部、係合受け部によって傷付くおそれがないトングを提供する。【解決手段】把持対象物を把持する左右一対の一方及び他方の把持部１，２と、該一方及び他方の把持部１，２を長さ方向Ｘの下端側に備え相対向して上方に延びると共に一方及び他方の把持部１，２による把持・把持解除操作を行う左右一対の一方及び他方の操作部３，４と、該一方及び他方の操作部３，４を一方及び他方の上端部において一体的に連結し上方に向けて左右方向に折り返す折り返し部５とを備え、一方及び他方の操作部３，４の一方側の前縁１Ｂに係合部６を設けると共に、他方側の前縁２Ｂに係合部６が係合可能な係合受け部７を設ける。把持部１，２の一方側の前縁１Ｂに係合部６、他方側の前縁２Ｂに係合受け部７を設ける。把持部１，２の間や操作部３，４の間に挟まった把持対象物が係合部６や係合受け部７に引っ掛かるようなことはない。【選択図】図１
0003172339.tif 000002
【実用新案登録請求の範囲】
【請求項１】
相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備えてトング本体を形成し、前記一方及び他方の把持部又は操作部の一方側の縁に係合部を設けると共に、他方側の縁に前記係合部が係合可能な係合受け部を設けたことを特徴とするトング。
【請求項２】
前記係合部は、前記一方側の縁より該一方側の縁の端面に突設方向を交差して前記トング本体の内側に突設して鉤状に形成され、前記係合受け部は、前記他方側の縁より該他方側の縁の端面に突設方向を交差して前記トング本体の外側に突設して鉤状に形成されたことを特徴とする請求項１記載のトング。
【請求項３】
前記係合部と前記係合受け部は正対状態で当接可能に設けられることを特徴とする請求項１又は２記載のトング。
【請求項４】
相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備え、前記一方及び他方の把持部又は操作部の一方側の前縁に係合部を設けると共に、他方側の前縁に前記係合部が係合可能な係合受け部を設けたことを特徴とするトング。
【請求項５】
相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備え、前記一方及び他方の把持部又は操作部の一方側の後縁に係合部を設けると共に、他方側の後縁に前記係合部が係合可能な係合受け部を設けたことを特徴とするトング。
【請求項６】
前記係合部は、前方に突設する第１の突部と、該第１の突部の第１の先端側に設けられ前記一方の把持部又は操作部の幅方向の内側に突設する鉤状の第２の突部とを備え、前記係合受け部は、前方に突設すると共に前記第２の突部が当接可能で外側向きの鉤状の第３の突部とを備えることを特徴とする請求項４記載のトング。
【請求項７】
前記係合部は、後方に突設する第４の突部と、該第４の突部の第２の先端側に設けられ前記一方の把持部又は操作部の幅方向の内側向きに突設する鉤状の第５の突部とを備え、前記係合受け部は、後方に突設すると共に前記第５の突部が当接可能で外側向きの鉤状の第６の突部とを備えることを特徴とする請求項５記載のトング。
【考案の詳細な説明】
【技術分野】
【０００１】
本考案は、バーベキューの肉、野菜等各種食材、麺類或いは割り氷や角砂糖のような把持対象物を把持して扱うトングに関するものである。
【背景技術】
【０００２】
従来、この種のものとして相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなり、前記一方及び他方の操作部の一方側の内面中央に係合部を設けると共に、他方側の内面中央に前記係合部が係合可能な係合受け部を設けたものが知られている（例えば、特許文献１）。
【特許文献１】実用新案登録第３１４６７２５号公報
【考案の開示】
【考案が解決しようとする課題】
【０００３】
しかし、従来技術においては、係合部、係合受け部がそれぞれ操作部の内面中央に設けられているので、一対の把持部間或いは一対の操作部に挟まれた把持対象物が係合部、係合受け部によって傷付くおそれがあった。また、従来技術では一対の把持部を閉じるたびに係合部、係合受け部が当たってしまい、両者が不用意に係合してしまうおそれがあった。
【０００４】
解決しようとする問題点は、一対の把持部間或いは一対の操作部に挟まれた把持対象物が係合部、係合受け部によって傷付くおそれがないトングを提供する点である。また、一対の把持部を閉じても不用意に係合部が係合受け部に係合することがないようにしたトングを提供する点である。
【課題を解決するための手段】
【０００５】
請求項１の考案のトングは、相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備えてトング本体を形成し、前記一方及び他方の把持部又は操作部の一方側の縁に係合部を設けると共に、他方側の縁に前記係合部が係合可能な係合受け部を設けたことを特徴とする。
【０００６】
請求項２の考案のトングは、請求項１において、前記係合部は、前記一方側の縁より該一方側の縁の端面に突設方向を交差して前記トング本体の内側に突設して鉤状に形成され、前記係合受け部は、前記他方側の縁より該他方側の縁の端面に突設方向を交差して前記トング本体の外側に突設して鉤状に形成されたことを特徴とする。
【０００７】
請求項３の考案のトングは、請求項１又は２において、前記係合部と前記係合受け部は正対状態で当接可能に設けられることを特徴とする。
【０００８】
請求項４の考案のトングは、相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備え、前記一方及び他方の把持部又は操作部の一方側の前縁に係合部を設けると共に、他方側の前縁に前記係合部が係合可能な係合受け部を設けたことを特徴とするとする。
【０００９】
請求項５の考案のトングは、相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とを備え、前記一方及び他方の把持部又は操作部の一方側の後縁に係合部を設けると共に、他方側の後縁に前記係合部が係合可能な係合受け部を設けたことを特徴とするとする。
【００１０】
請求項６の考案のトングは、請求項４記載において、前記係合部は、前方に突設する第１の突部と、該第１の突部の第１の先端側に設けられ前記一方の把持部又は操作部の幅方向の内側に突設する鉤状の第２の突部とを備え、前記係合受け部は、前方に突設すると共に前記第２の突部が当接可能で外側向きの鉤状の第３の突部とを備えることを特徴とする。
【００１１】
請求項７の考案のトングは、請求項５において、前記係合部は、後方に突設する第４の突部と、該第４の突部の第２の先端側に設けられ前記一方の把持部又は操作部の幅方向の内側向きに突設する鉤状の第５の突部とを備え、前記係合受け部は、後方に突設すると共に前記第５の突部が当接可能で外側向きの鉤状の第６の突部とを備えることを特徴とする。
【考案の効果】
【００１２】
請求項１の考案によれば、係合部、係合受け部が縁に設けられているので、左右一対の把持部又は操作部の間に挟まれた把持対象物が、係合部、係合受け部により傷付けられるようなことはない。
【００１３】
請求項２の考案によれば、鉤状の係合部、係合受け部により、両者を確実に係合させることができる。
【００１４】
請求項３の考案によれば、左右一対の把持部又は操作部が正対したときには係合部は係合受け部に係合されず、一方左右一対の把持部又は操作部を前後にずらすことで、係合部と係合受け部とを確実に係合することができる。
【００１５】
請求項４の考案によれば、係合部、係合受け部が前縁に設けられているので、左右一対の把持部又は操作部の間に挟まれた把持対象物が、係合部、係合受け部により傷付けられるようなことはない。
【００１６】
請求項５の考案によれば、係合部、係合受け部が後縁に設けられているので、左右一対の把持部又は操作部の間に挟まれた把持対象物が、係合部、係合受け部により傷付けられるようなことはない。
【００１７】
請求項６の考案によれば、係合部、係合受け部が後縁に設けられているので、左右一対の把持部又は操作部の間に挟まれた把持対象物が、係合部、係合受け部により傷付けられるようなことはない。
【００１８】
請求項７の考案によれば、左右一対の把持部又は操作部が正対したときには係合部は第１の当接受け部に当接して係合受け部に係合されず、一方左右一対の把持部又は操作部を前後にずらすことで、係合部と係合受け部とを確実に係合することができる。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
図１〜３は実施例１を示しており、トングのトング本体は、細長板材料をＵ字形に二つ折りした形状をなしており、把持部１，２と操作部３，４と折り返し部５とを有する。一方及び他方の把持部１，２は、相対向して設けられると共に把持対象物（図示せず）を把持するように左右一対設けられる。実施例では把持部１，２を合成樹脂製板状部材により形成し、折り返し部５を鋼等金属製板状部材により形成し、さらに金属製板状部材を合成樹脂製板状部材に挿入して操作部３，４を把持部１，２より延長した合成樹脂部分と折り返し部５より延長した金属部分とで併用している。尚、実施例では把持部１，２は把持対象物を把持しやすいように下方に向かうに従い前方へ向いて形成されている。
【００２１】
一方及び他方の把持部１，２の先端縁１Ａ、２Ａは複数本の指先のような凹凸形状に形成されている。また一方及び他方の操作部３，４は、一方及び他方の把持部１，２をトング本体の長さ方向Ｘの下端側に備え相対向して上方に延びると共に一方及び他方の把持部１，２による把持・把持解除操作を行うことができるように左右一対に設けられる。折り返し部５は、一方及び他方の操作部３，４を一方及び他方の上端部において一体的に連結し上方に向けて左右方向に折り返して形成される。さらに、一方及び他方の操作部３，４間に使用者による力がかかっていない状態では、折り返し部５の弾性力によって一方及び他方の把持部１，２は開いた状態に保持されている。
【００２２】
そして、不使用時などにおいて一方及び他方の把持部１，２を閉じる状態を維持するため、一方の把持部１の前縁１Ｂの上部に係合部６を設けると共に、他方の把持部２の前縁２Ｂの上部に係合部６が係合可能な係合受け部７を設ける。これら係合部６、係合受け部７は把持部１，２における合成樹脂で形成された合成樹脂製板状部材に一体に設けられるものであって、相互に係合可能なものである。尚、トングの前側とは両側に配置される把持部１，２、操作部３，４をそれぞれ左右一対としたとき、左右方向に直交する横方向の一方を前方とし、他方を後方としており、実施例１では把持部１，２の先端縁１Ａ、１Ｂ側を前方としている。尚、把持部１，２の先端縁１Ａ、１Ｂが前記直交する横方向が対象であるときは、いずれか一方を前方とすればよい。
【００２３】
前記係合部６は、前方に突設する第１の突部８と、第１の突部８の第１の先端９側に設けられ把持部１の幅方向の内側に突設する第２の突部10を備え、この第２の突部10の先端11は後方に向かう鉤状に設けられている。すなわち、係合部６は、一方側である把持部１の前縁１Ｂより該一方側である把持部１の前縁１Ｂの端面に突設方向Ｙを交差して前記トング本体の内側（トング本体の長さ方向Ｘ側）に突設して先端11を鉤状に形成している。
【００２４】
前記係合受け部７は前方に突設する第３の突部12を備え、この第３の突部12の内側には図２に示すように把持部１，２を正対したときに第３の突部12の先端13が当接する第１の当接受け部14が設けられる。さらに第３の突部12は鉤状の第２の突部10に係合しやすいように先端13が外向きの鉤状に設けられている。すなわち、係合受け部７は、他方側である把持部２の前縁２Ｂより該他方側である把持部２の前縁２Ｂの端面に突設方向Ｚを交差してトング本体の外側（トング本体の長さ方向Ｘと反対側）に突設して先端13を鉤状に形成している。
【００２５】
次に前記構成についてその作用を説明する。使用時は一方及び他方の操作部３，４に指（図示せず）を掛けて両者間を狭めると、折り返し部５の弾性力に抗して把持部１，２間が狭まって把持対象物を把持して扱うことができる。このように把持部１，２を正対して狭めた際、図２に示すように第２の突部10が第１の当接受け部14に当たることで、係合部６は係合受け部７に係合することなく、操作部３，４に指を掛けて把持部１，２を開閉することができる。
【００２６】
次に、不使用時においては、操作部３，４間を狭めた状態に維持する。これは折り返し部５を中心として図３に示すように把持部１，２を前後に相対的にずらすことで、第２の突部10を第３の突部12を乗り越えさせて、内側向き鉤状の第２の突部10に、外側向き鉤状の第３の突部12を係合するものである。そして、この状態で操作部３，４から指を離すと折り返し部５の弾性力によって把持部１，２が広がろうとする力で、鉤状に係合している係合部６、係合受け部７が維持される。尚、係合部６、係合受け部７を解除して再び把持部１，２を開くような場合には、把持部１，２を前後に相対的にずらせばよい。
【００２７】
以上のように、前記実施例では請求項１に対応して、把持部１の内面ではなく縁である前縁１Ｂに係合部６を設け、把持部２の内面ではなく縁である前縁２Ｂに係合受け部７を設けたことにより、把持部１，２の間や操作部３，４の間に挟まった把持対象物が係合部６や係合受け部７に引っ掛かるようなことはなく、把持対象物を傷付けることなく、把持及びその解除を行うことができる。
【００２８】
また、請求項２に対応して、係合部６は、把持部１の前縁１Ｂより該把持部１の前縁１Ｂの端面に突設方向Ｙを交差してトング本体の内側に突設して先端11を鉤状に形成され、係合受け部７は、把持部２の前縁２Ｂより把持部２の前縁２Ｂの端面に突設方向Ｚを交差してトング本体の外側に突設して先端13を鉤状に形成されたことで、両方の鉤状の先端により係合を確実に行うことができる。
【００２９】
さらに、請求項３に対応して、係合部６と係合受け部７は正対状態で当接可能に設けられるので、把持部１，２を正対して開閉する場合には、係合部６と係合受け部７が係合するようなことはなく、また把持部１，２を前後にずらして対向する場合には、第２の突部10が第３の突部12に確実に係合することができる。
【００３０】
また、請求項４に対応して、相対向してそれぞれ設けられると共に把持対象物を把持する左右一対の一方及び他方の把持部１，２と、該一方及び他方の把持部１，２を長さ方向Ｘの下端側に備え相対向して上方に延びると共に一方及び他方の把持部１，２による把持・把持解除操作を行う左右一対の一方及び他方の操作部３，４と、該一方及び他方の操作部３，４を一方及び他方の上端部において一体的に連結し上方に向けて左右方向に折り返す折り返し部５とを備え、一方及び他方の操作部３，４の一方側の前縁１Ｂに係合部６を設けると共に、他方側の前縁２Ｂに係合部６が係合可能な係合受け部７を設けたことによって、係合部６を係合受け部７に係合することで、操作部３，４間を係合して両者間を狭めて維持しておくことができ、さらに把持部１，２の一方側の前縁１Ｂに係合部６、他方側の前縁２Ｂに係合受け部７を設けることで、把持部１，２の間や操作部３，４の間に挟まった把持対象物が係合部６や係合受け部７に引っ掛かるようなことはなく、把持対象物を傷付けることなく、把持及びその解除を行うことができる。
【００３１】
前記実施例では請求項６に対応して、係合部６は、前方に突設する第１の突部８と、該第１の突部８の第１の先端９側に設けられ前記一方の把持部又は操作部の幅方向の内側に突設する鉤状の第２の突部10とを備え、係合受け部７は、前方に突設すると共に第２の突部10の先端11が当接可能で外側向きの鉤状の第３の突部12とを備えることで、把持部１，２を正対して開閉する場合には、第２の突部10が第１の当接部14に当接して係合部６と係合受け部７が係合するようなことはなく、また把持部１，２を前後にずらして対向する場合には、第２の突部10が第３の突部12に確実に係合することができる。
【実施例２】
【００３２】
図４〜６は実施例２を示しており、前記実施例１と同一部分には同一符号を付し、その詳細な説明を省略する。実施例２では一方側の把持部１の後縁１Ｃに係合部６´を設けると共に、他方側の把持部２の後縁２Ｃに係合部６´が係合可能な係合受け部７´を設けたものであり、係合部６´は、後方に突設する第４の突部15と、該第４の突部15の第２の先端15Ａ側に設けられ一方の把持部１の幅方向の内側向きに突設する鉤状の第５の突部16とを備え、係合受け部７´は、後方に突設すると共に第５の突部16の先端17が当接可能で外側向きの鉤状の第６の突部18とを備える。尚、図中19は第６の突部18に設けられ正対したときに第５の突部16の第２の先端17が当接する第２の当接受け部を示している。
【００３３】
したがって、請求項５に対応して、把持部１，２の一方側の後縁１Ｃに係合部６´、他方側の後縁２Ｃに係合受け部７´を設けることで、把持部１，２の間や操作部３，４の間に挟まった把持対象物が係合部６´や係合受け部７´に引っ掛かるようなことはなく、把持対象物を傷付けることなく、把持及びその解除を行うことができる。
【００３４】
また、請求項７に対応して、把持部１，２を正対して狭めた際、図５に示すように第５の突起16が第２の当接受け部19に当たることで、係合部６´は係合受け部７´に係合することなく、操作部３，４に指を掛けて把持部１，２を開閉することができる。さらに折り返し部５を中心として図６に示すように把持部１，２を前後に相対的にずらすことで、第２の突部10を第３の突部12を乗り越えさせて、内側向き鉤状の第２の突部10に、外側向き鉤状の第３の突部12を確実に係合することができるものである。
【産業上の利用可能性】
【００３５】
以上のように本考案にかかるトングは、各種の用途に適用できる。例えば、トング全体を合成樹脂や鋼など金属によって形成してもよい。また、係合部、係合受け部を操作部に設けてもよい。
【図面の簡単な説明】
【００３６】
【図１】本考案の第１実施例を示す全体斜視図である。
【図２】同把持部相互を正対した状態の要部の断面図である。
【図３】同把持部相互を閉じた状態の要部の断面図である。
【図４】本考案の第２実施例を示す全体斜視図である。
【図５】同把持部相互を正対した状態の要部の断面図である。
【図６】同把持部相互を閉じた状態の要部の断面図である。
【符号の説明】
【００３７】
１，２  把持部
１Ｂ  前縁
１Ｃ  後縁
２Ｂ  前縁
２Ｃ  後縁
３，４  操作部
５  折り返し部
６  ６´  係合部
７  ７´  係合受け部
８  第１の突部
９  第１の先端
10  第２の突部
12  第３の突部
14  第１の当接受け部
15  第４の突部
15Ａ  第２の先端
16  第５の突部
18  第６の突部
17  第２の先端
19  第２の当接受け部
Ｘ  トング本体の長さ方向
Ｙ  Ｚ  突設方向
【図１】
0003172339.tif 000003
【図２】
0003172339.tif 000004
【図３】
0003172339.tif 000005
【図４】
0003172339.tif 000006
【図５】
0003172339.tif 000007
【図６】
0003172339.tif 000008